(57)【要約】      （修正有）【課題】前席シートが後席シートの乗員が降車し易いシート状態である場合に、前席シートに乗員が着座した場合には、警報する車両用シート制御装置を提供する。【解決手段】前列シートを後列シートの乗員が降車し易い第１シート状態とする前列シート状態変更装置１６と、第１シート状態を検出する前列シート前傾検出装置２０と、前列シートに設けられて前列シートに乗員が着座している着座状態及び乗員が着座していない非着座状態に応じた信号を出力する前列シート着座検出装置１８と、警報装置２３と、前列シート前傾検出装置２０が前列シートが第１シート状態であることを検出している状態において、前列シート着座検出装置１８が着座状態に応じた信号を出力する場合は、警報装置２３を作動させる制御部３０と、を備える。【選択図】図３
2016064700.tif 000002
【特許請求の範囲】
【請求項１】
車室内に車両進行方向に前列シートと前記前列シートの後側に設けられた後列シートを備えた車両シートの制御装置であって、
前記前列シートを前記後列シートの乗員が降車し易い第１シート状態とする前列シート状態変更装置と、
前記前列シートの乗員に装着されるシートベルト装置と、
前記第１シート状態を検出する前列シート前傾検出装置と、
前記前列シートに設けられて前記前列シートに乗員が着座している着座状態及び乗員が着座していない非着座状態に応じた信号を出力する前列シート着座検出装置と、
警報装置と、
前記前列シート前傾検出装置が前記前列シートが前記第１シート状態であることを検出している状態において、前記前列シート着座検出装置が前記着座状態に応じた信号を出力する場合は、前記警報装置を作動させる制御部と、を備えた車両用シート制御装置。
【請求項２】
前記車両の駐車状態を検出する駐車状態検出装置を備え、前記駐車状態においては、前記制御部は、前記警報装置の作動を停止させる請求項１に記載の車両用シート制御装置。
【請求項３】
前記前列シートの作動中を検出する前列シート作動中検出装置を備え、前記前列シートの作動中の状態においては、前記制御部は、前記警報装置の作動を停止させる請求項１又は２に記載の車両用シート制御装置。
【請求項４】
前記後列シートに着座する乗員が操作可能な位置に設けられて、前記前列シート状態変更装置を作動させる操作スイッチを備え、前記制御部は前記前列シート着座検出装置が前記着座状態に応じた信号を出力する状態においては、前記操作スイッチが操作されても前記前列シート状態変更装置の作動を禁止する請求項１〜３のいずれか１項に記載の車両用シート制御装置。
【請求項５】
前記操作スイッチは、前記前列シートの背面側に設けられた請求項４に記載の車両用シート制御装置。
【発明の詳細な説明】
【技術分野】
【０００１】
本発明は、車両用シート制御装置に関する。
【背景技術】
【０００２】
２ドアタイプの車両等において、後席シートの乗員が降車しようとする場合に、後席シートの乗員は、操作スイッチを操作して、前席シート状態変更装置を作動させて電動シートである前席シートの背もたれを前方に倒して、前席シートを後席シートの乗員が降車し易いシート状態としている。前席シートに乗員が着座しているときに、後席シートに着座している乗員が誤って、操作スイッチを操作した場合には、前席シートの乗員は、背もたれの不意の前倒れにより前屈みとされて不快にされる。このため、前席シートに乗員が着座しているときには、後席シートの乗員が誤って操作スイッチを操作しても前席シート状態変更装置が前席シートを降車し易いシート状態にする作動を行わない様にしていた。（例えば、特許文献１参照）
【先行技術文献】
【特許文献】
【０００３】
【特許文献１】実開昭５５‐６８６３２公報
【発明の概要】
【発明が解決しようとする課題】
【０００４】
一方、前席シートが後席シートの乗員が降車し易いシート状態である場合に、その前席シートに乗員が着座して、シートベルトを装着した場合、シートが前傾しているため、シートベルトを装着しても、そのシートベルトの装着状態では、乗員の安全性を確保できないものであった。
【０００５】
本発明は、こうした事情に鑑み案出されたものであり、前席シートが後席シートの乗員が降車し易いシート状態である場合に、前席シートに乗員が着座した場合には、警報する車両用シート制御装置を提供することを目的とする。
【課題を解決するための手段】
【０００６】
上記課題を解決するために、本発明に係る車両用シート制御装置は、車室内に車両進行方向に前列シートと前記前列シートの後側に設けられた後列シートを備えた車両シートの制御装置であって、前記前列シートを前記後列シートの乗員が降車し易い第１シート状態とする前列シート状態変更装置と、前記前列シートの乗員に装着されるシートベルト装置と、前記第１シート状態を検出する前列シート前傾検出装置と、前記前列シートに設けられて前記前列シートに乗員が着座している着座状態及び乗員が着座していな非着座状態に応じた信号を出力する前列シート着座検出装置と、警報装置と、前記前列シート前傾検出装置が前記前列シートが前記第１シート状態であることを検出している状態において、前記前列シート着座検出装置が前記着座状態に応じた信号を出力する場合は、前記警報装置を作動させる制御部と、を備えたことを要旨とする。
【発明の効果】
【０００７】
前列シートが後列シートの乗員が降車し易い第１シート状態である場合に、前列シートに乗員が着座した場合には、警報する。これにより、前列シートが第１シート状態でシートベルトを装着しても、乗員の安全性を確保できない旨を知らせることができる。
【図面の簡単な説明】
【０００８】
【図１】本発明の実施形態における車両用シート制御装置の構成を模式的に示した説明図である。
【図２】本発明の実施形態における２列目シートの平面図である。
【図３】本発明の実施形態における制御部の概略構成図である。
【図４】本発明の実施形態における制御部で実行される制御プログラムのフローチャートである。
【発明を実施するための形態】
【０００９】
本発明の実施形態の車両用シート制御装置１０を、図１〜図４に基づいて説明する。
車両用シート制御装置１０は、図1に示す如く、車両１１の車室１２内には、運転席及び助手席を含む１列目シート１３と、車室１２内において該１列目シート１３の後方に設けられた２列目シート１４と、車室１２内において該２列目シート１４の後方に設けられた３列目シート１５とを備える。図1の２点鎖線にて示す如く、２列目シート１４の背もたれ部１４ａを前方へ傾斜させて、２列目シート１４を２列目シート１４の後席である３列目シート１５の乗員が降車し易い第１シート状態とする２列目シート状態変更装置１６が、２列目シート１４に搭載されている。
【００１０】
２列目シート状態変更装置１６は、２列目シート１４を、図１に示す３列目シート１５の乗員が降車し易い第１シート状態に変更するのに、具体的には、２列目シート１４の背もたれ１４ａを２列目パワーシートリクライニング機構１６ａのモータ１６ｂの駆動によって前傾させることにより、行われる。
【００１１】
２列目シート状態変更装置１６の作動は、２列目シート１４の背もたれ１４ａの背面即ち３列目シート１５の乗員に対向して設けられ、３列目シート１５の乗員により操作可能な操作スイッチ１７の操作にて行われる。
【００１２】
２列目シート１４の座部１４ｂには、２列目シートに乗員が着座した状態を検出可能な２列目シート着座検出装置１８が設けられている。２列目シート着座検出装置１８は、２列目シート１４に乗員が着座している着座状態及び乗員が着座していな非着座状態に応じた信号を出力する。２列目シート着座検出装置１８は、周知のフィルム式圧力センサにて構成される。
【００１３】
２列目シート１４には、２列目シート１４に着座する乗員に装着されるシートベルト１９が設けられ、２列目シート１４に着座した乗員の安全の確保が図られる。
【００１４】
図３に示すＥＣＵ３０（Ｅｌｅｃｔｒｏｎｉｃ  Ｃｏｎｔｒｏｌ  Ｕｎｉｔ）は、操作スイッチ１７の操作による信号、２列目シート着座検出装置１８の信号に基づいて、２列目シート状態変更装置１６の作動を制御する制御部である。
【００１５】
ＥＣＵ３０は、２列目シート着座検出装置１８の信号、２列目シート前傾検出装置２０、駐車状態検出装置２１、２列目シート作動中検出装置２２の検出結果に基づいて、ブザー又は点滅ランプ等の警報装置２３の作動を制御する。
【００１６】
２列目シート前傾検出装置２０は、２列目シート１４が、前述の第１シート状態にあることを、検出する。具体的には、２列目シート前傾検出装置２０は、モータ１６ｂの動作量に基づいて、第１シート状態を検出可能な構成である。
【００１７】
駐車状態検出装置２１は、車両１０が駐車状態にあることを、検出する。具体的には、駐車状態検出装置２１は、イグニッションスイッチ（図示略）がオン状態でかつシフトレバーのシフト位置がパーキングレンジにある場合に、駐車状態であることを検出する。
【００１８】
２列目シート作動中検出装置２２は、２列目シート１４が作動中であることを検出する。具体的には、２列目シート作動中検出装置２２は、モータ１６ｂに通電されている場合に、２列目シート１４が作動中であることを検出する。
【００１９】
ＥＣＵ３０は、２列目シート前傾検出装置２０が２列目シート１４が第１シート状態であることを検出している状態において、２列目シート着座検出装置１８が着座状態に応じた信号を出力する場合は、警報装置２３を作動させる。
【００２０】
ＥＣＵ３０は、前述の警報装置２３をさせる条件が成立しても、駐車状態検出装置２１の検出結果にて、車両１０が駐車状態にある場合には、警報装置２３の作動を停止させる。
【００２１】
ＥＣＵ３０は、前述の警報装置２３をさせる条件が成立しても、２列目シート作動中検出装置２２の検出結果にて、２列目シート１４が作動中である場合には、警報装置２３の作動を停止させる。
ＥＣＵ３０は、２列目シート着座検出装置１８が２列目シート１４に乗員が着座している着座状態に応じた信号を出力する場合は、操作スイッチ１７の操作による信号を取消す。これにより、２列目シート１４に乗員が着座しているにもかかわらず２列目シート状態変更装置１６が作動し、２列目シート１４が３列目シート１５の乗員が降車し易い第１シート状態に移動することを禁止し、２列目シート１４の乗員が不快になることを防止する。即ち、２列目シート１４に乗員が着座している着座状態では、操作スイッチ１７が操作されても、２列目パワーシートリクライニング機構１６ａが作動しない。
【００２２】
ＥＣＵ３０は、２列目シート着座検出装置１８が２列目シート１４に乗員が着座していない非着座状態に応じた信号を出力する場合は、操作スイッチ１７が操作されると２列目シート状態変更装置１６の作動を許可する。即ち、２列目シート１４が非着座の状態では、３列目シート１５の乗員による操作スイッチ１７の操作にて２列目シート状態変更装置１６が作動を開始して、２列目シート１４は、３列目シート１５の乗員が降車し易い第１シート状態へと移動して、３列目シート１５の乗員のニーズに対応に応えることができる。
【００２３】
ＥＣＵ３０は、図４に示すフローチャートに対応する制御プログラムを微小時間間隔にて繰り返し実行する。
２列目シート着座検出装置１８の信号に基づき、２列目シート１４が着座状態であるされた場合には、ステップＳ１０１において、「Ｙｅｓ」と判定し、プログラムをステップＳ１０２に進める。一方、２列目シート１４が着座状態でないとされた場合には、ステップＳ１０１において「Ｎｏ」と判定し、ステップＳ１０３に進める。
【００２４】
ステップＳ１０３にて、操作スイッチ１７がオン操作されたか否かを判定する。操作スイッチ１７がオン操作された場合には、「Ｙｅｓ」と判定し、プログラムをステップＳ１０４に進み、２列目シート状態変更装置１６の作動を開始する。一方、操作スイッチ１７がオン操作されない場合には、ステップＳ１０３において「Ｎｏ」と判定し、プログラムを終了する。
【００２５】
ステップＳ１０２にて、操作スイッチ１７がオン操作されたか否かを判定する。操作スイッチ１７がオン操作された場合には、「Ｙｅｓ」と判定し、プログラムをステップＳ１０５に進み、２列目シート状態変更装置１６の作動を禁止する。一方、操作スイッチ１７がオン操作されない場合には、ステップＳ１０２において「Ｎｏ」と判定し、ステップＳ１０６に進む。
【００２６】
ステップＳ１０６にて、２列目シート１４が第１シート状態であるか否かを判定する。２列目シート１４が第１シート状態である場合には、「Ｙｅｓ」と判定し、プログラムをステップＳ１０７に進める。一方、２列目シート１４が第１シート状態ではないとされた場合には、ステップＳ１０６において「Ｎｏ」と判定し、プログラムを終了する。
【００２７】
ステップＳ１０７にて、車両が駐車状態であるか否かを判定する。車両が駐車状態であるされた場合には、「Ｙｅｓ」と判定し、プログラムを終了する。一方、車両が駐車状態ではないとされた場合には、ステップＳ１０７において「Ｎｏ」と判定し、プログラムをステップＳ１０８に進める。
【００２８】
ステップＳ１０８にて、２列目シート１４は作動中であるか否かを判定する。２列目シート１４は作動中であるされた場合には、「Ｙｅｓ」と判定し、プログラムを終了する。一方、２列目シート１４は作動中ではないとされた場合には、ステップＳ１０８において「Ｎｏ」と判定し、プログラムをステップＳ１０９に進める。
【００２９】
ステップＳ１０９では、警報装置２３を作動させる。
【００３０】
なお、図４に示すフローチャートは、ステップＳ1０７及びステップＳ１０８を設けた例を説明したが、これに限らず、ステップＳ1０７及びステップＳ１０８のいずれか片方又はその両方を省略することができる。なお、ステップＳ1０７及びステップＳ１０８を省略した場合には、ステップＳ１０６で、「Ｙｅｓ」と判定された場合には、直接ステップＳ１０９に進み、警報装置２３を作動させる。
【００３１】
図１乃至図４に示す本発明の実施形態では、２列目シート１４と３列目シート１５に基づいて構成及び作用を説明し、２列目シート１４は前列シートに相当し、３列目シート１５は後列シート相当する。これに代えて、１列目シート１３を前列シートに、２列目シート１４を後列シートとする構成に変更することが可能であることは明らかである。
【００３２】
図１乃至図４に示す本発明の実施形態では、ＥＣＵ３０は、２列目シート前傾検出装置２０が２列目シート１４が第１シート状態であることを検出している状態において、２列目シート着座検出装置１８が着座状態に応じた信号を出力する場合は、警報装置２３を作動させる例を示したが、これに限らず、更にシートベルト装置１９に設けられたバックルスイッチ（図示略）がシートベルトが装着された状態に応じた信号を出力する場合を、警報装置２３を作動させる条件に加えることが可能であることは明らかである。
【００３３】
上述のように、本発明の実施形態の車両用シート制御装置１０によれば、車室１２内に車両進行方向に前列シート１４と前列シート１４の後側に設けられた後列シート１５を備えた車両シートの制御装置であって、前列シート１４を後列シート１５の乗員が降車し易い第１シート状態とする前列シート状態変更装置１６と、前列シート１４の乗員に装着されるシートベルト装置１９と、第１シート状態を検出する前列シート前傾検出装置２０と、前列シート１４に設けられて前列シート１４に乗員が着座している着座状態及び乗員が着座していない非着座状態に応じた信号を出力する前列シート着座検出装置１８と、警報装置２３と、前列シート前傾検出装置２０が前列シート１４が第１シート状態であることを検出している状態において、前列シート着座検出装置１８が着座状態に応じた信号を出力する場合は、警報装置２３を作動させる制御部３０と、を備える。これにより、前列シート１４が後列シート１５の乗員が降車し易い第１シート状態である場合に、前列シート１４に乗員が着座した場合には、警報する。従って、前列シート１４が第１シート状態でシートベルトを装着しても、乗員の安全性を確保できない旨を知らせることができる。
【００３４】
上述のように、本発明の実施形態の車両用シート制御装置１０によれば、車両１１の駐車状態を検出する駐車状態検出装置２１を備え、駐車状態においては、制御部３０は、警報装置２３の作動を停止させる。これにより、車両用シート制御装置１０は、駐車状態に対応した制御ができ、省電力化を図れる。
【００３５】
上述のように、本発明の実施形態の車両用シート制御装置１０によれば、前列シート１４の作動中を検出する前列シート作動中検出装置２２を備え、前列シート１４の作動中の状態においては、制御部３０は、警報装置２３の作動を停止させる。これにより、車両用シート制御装置１０は、前列シート１４の作動中に対応した制御ができ、省電力化を図れる。
【００３６】
上述のように、本発明の実施形態の車両用シート制御装置１０によれば、後列シート１４に着座する乗員が操作可能な位置に設けられて、前列シート状態変更装置１６を作動させる操作スイッチ１７を備え、制御部３０は前列シート着座検出装置１８が着座状態に応じた信号を出力する状態においては、操作スイッチ１７が操作されても前列シート状態変更装置１６の作動を禁止する。これにより、前列シート１４に乗員が着座しているにもかかわらず前列シート状態変更装置１６が作動し、前列シート１４が後列シート１５の乗員が降車し易い第１シート状態に移動することを禁止し、前列シート１４の乗員が不快になることを防止する。
【００３７】
上述のように、本発明の実施形態の車両用シート制御装置１０によれば、操作スイッチ１７は、前列シート１４の背面側に設けられる。これにより、操作スイッチ１７は、前列シート１４の後席である後列シート１５の乗員にとって、視認し易くて操作し易い位置に設けられることになり、降車する際、操作スイッチ１７を探す必要がなく、降車の操作をスムーズに行うことができる。
【００３８】
上述の実施形態においては、前列シート着座検出装置１８として、フィルム式圧力センサを用いたが、これに限らず、前列シート着座検出装置としては、前列シートに乗員が着座している着座状態及び乗員が着座していない非着座状態を検出できるものであれば足りるもので、例えば、乗員の重量を検知する体重検知センサ、静電容量センサ、赤外線センサ等を用いることができることは明らかである。
【００３９】
なお、複数の実施の形態が存在する場合、特に記載がある場合を除き、各々の実施の形態の特徴部分を適宜組合せることが、可能であることは明らかである。
【符号の説明】
【００４０】
１０・・・車両用シート制御装置
１２・・・車室
１４・・・２列目シート（前列シート）
１５・・・３列目シート（後列シート）
１６・・・２列目シート状態変更装置（前列シート状態変更装置）
１７・・・操作スイッチ
１８・・・２列目シート着座検出装置（前列シート着座検出装置）
１９・・・シートベルト装置
２０・・・２列目シート前傾検出装置（前列シート前傾検出装置）
２１・・・駐車状態検出装置
２２・・・２列目シート作動中検出装置（前列シート作動中検出装置）
２３・・・警報装置
３０・・・ＥＣＵ（制御部）
【図１】
2016064700.tif 000003
【図２】
2016064700.tif 000004
【図３】
2016064700.tif 000005
【図４】
2016064700.tif 000006